(57)【要約】  【目的】第１弁本体と第２弁本体とが螺着されて弁本体が形成される逆止弁において、弁本体に臨むネジ部への流体の進入を阻止し、流路内を流れる流体の汚染を防止する。  【構成】第１弁本体１のオネジ部１ｆを第２弁本体２のメネジ部２ｅに螺着し、第１弁本体１の第１縮小段部１ｇ、小径筒部１ｈと第２弁本体の第２縮小段部２ｇ、下孔２ｆとによって形成される環状間隙Ｓ内に弾性材料よりなる環状パッキン３が縮設される。又、弁体収納孔内に配置される弁体４の上底部４ａに環状の弁座５を平板状のシートホルダー６を介してスポット溶接する。流路内を流れる流体のオネジ部１ｆ、メネジ部２ｅへの進入は環状パッキン３にて阻止され、弁座５への流体の進入はシートホルダー６にて阻止される。【選択図】  図１
2006009880.tif 000002
【特許請求の範囲】
【請求項１】
第１弁本体と第２弁本体とが螺着されて弁本体が形成され、
弁本体の流路内に形成される弁座孔に向けて弁体がスプリングによって押圧配置される逆止弁において、
第１弁本体１の外周には、一端１ａから他端１ｂに向けて第１接続筒部１ｃと第１取付け鍔部１ｄと挿入筒部１ｅとが連設されるとともに挿入筒部１ｅの基部に形成されるオネジ部１ｆから第１縮小段部１ｇを介して小径筒部１ｈが他端１ｂに向けて形成され、
一方、第一弁本体１の内方には一端１ａから他端１ｂに向けて弁座孔１ｎを備える第１流路１ｋと弁体収納孔１ｍとが連設され、
又、第２弁本体２の外周には、他端２ｂから一端２ａに向けて第２接続筒部２ｃと第２取付け鍔部２ｄとが連設されるとともに第２弁本体２の内方には、一端２ａから他端２ｂに向けて、第１弁本体１のオネジ部１ｆに螺着されるメネジ部２ｅと下孔２ｆとが連設されるとともに下孔２５から第２縮小段部２ｇを介して第２流路２ｈが連設され、
前記第１弁本体のオネジ部１ｆを第２弁本体２のメネジ部２ｅに螺着するとともに前記第１弁本体の第１縮小段部１ｇ、小径筒部１ｈ及び第２弁本体２の第２縮小段部２ｇ、下孔２ｆ、によって形成される環状間隙Ｓ内に弾性材料よりなる環状パッキン３を縮設し、
更に弁体収納孔１ｍ内に配置される有底カップ状の弁体４の上底部４ａに、弁座孔１ｎに当接する環状の弁座５を平板状のシートホルダー６を介してスポット溶接したことを特徴とする逆止弁。
【発明の詳細な説明】
【技術分野】
【０００１】
本発明は流体の配管系内に配置され、流体の一定の圧力以上において流路内に形成される弁座孔を弁体にて開放して上流側の第１流路から下流側の第２流路に向けて流体の流れを許容し、一方、流体の一定の圧力以下において、弁体にて弁座孔を閉塞して第１流路から第２流路間の流体の流れを遮断する逆止弁に関し、この逆止弁は医療機器、純水装置、化学、サニタリー等における配管内に配置されて使用される。
【背景技術】
【０００２】
従来の逆止弁について図２により説明する。
５０は第１弁本体であり、以下により形成される。
第１弁本体５０の外周には、一端５０ａから他端５０ｂに向けて、第１接続筒部５０ｃと、第１接続筒部５０ｃの外径より小径をなす筒部５０ｄと、オネジ部５０ｅと、が連設される。
又、第１弁本体５０の内方には、一端５０ａから他端５０ｂに向けて第１流路５０ｆが穿設され、第１流路５０ｆの他端５０ｂへの開口部には弁座孔５０ｇが形成される。
５１は第２弁本体であり、以下により形成される。
第２弁本体５１の他端５１ｂ近傍の外周には第２接続筒部５１ｃが形成される。
第２弁本体５１の内方には一端５１ａから他端５１ｂに向けて以下が形成される。
すなわち、一端５１ａには第１弁本体５０の筒部５０ｄより大径をなすパッキン孔５１ｄが開口し、パッキン孔５１ｄの底部は縮小段部５１ｅによって縮径され、これより他端５１ｂ側に向けてメネジ部５１ｆ、ガイド孔５１ｇが形成され、更にガイド孔５１ｇより段部５１ｈを介して第２流路５１ｋが他端５１ｂに開口する。
【０００３】
そして、第１弁本体５０と第２弁本体５１とは以下によって螺着結合される。第１弁本体５０と第２弁本体５１とを螺着結合することは弁本体内の流路、弁座孔、弁体を洗浄するメンテナンス作業を行なう為に必要である。
すなわち、第１弁本体５０のオネジ部５０ｅを第２弁本体５１のメネジ部５１ｆに向けて螺着するもので、これによると第２弁本体５１の一端５１ａと第１弁本体５０の第１接続筒部５０ｃの右端５０ｃａが当接して螺着結合され、このとき第１弁本体５０の右端５０ｃａ、筒部５０ｄ及び、第２弁本体５１のパッキン孔５１ｄ、縮小段部５１ｅと、によって環状の間隙が形成され、この間隙内に弾性材料によって形成された環状パッキン５２が縮設配置される。
【０００４】
一方、第２弁本体５１のガイド孔５１ｇ内には弁体５３が移動自在に配置されるもので、弁体５３の左端には弁座孔５０ｇに臨む弁座５４がネジ５５によって螺着される。
尚、前記弁体５３は一端が段部５１ｈに係止されたスプリング５６によって弁座孔５０ｇに向けて押圧される。
【０００５】
かかる従来の逆止弁によると、第１流路５０ｆ内の圧力が一定圧力値以下の状態にあっては、弁体５３はスプリング５６のバネ力によって第１流路５０ｆ側に押圧され、弁座５４が弁座孔５０ｇに押圧され、第１流路５０ｆと第２流路５１ｋとは遮断して保持される。
一方、第１流路５０ｆ内の圧力が一定圧力値以上に上昇すると、弁体５３はスプリング５６のバネ力に打ち勝って第２流路５１ｋ側へ移動し、弁座５４は弁座孔５０ｇを開放し、第１流路５０ｆから第２流路５１ｋへの流体の流れを許容する。
【発明の開示】
【発明が解決しようとする課題】
【０００６】
かかる従来の逆止弁によると、第１弁本体５０のオネジ部５０ｅ及び第２弁本体５１のメネジ部５１ｆは共に第２流路５１ｋ（より具体的にはガイド孔５１ｇ）に臨んで直接的に開口配置されるもので、このオネジ部５０ｅ、メネジ部５０ｆのネジ部分に流路内を流れる流体が溜まることがある。
又、弁座５４を弁体５３に螺着するネジ５５もまた第１流路５０ｆに直接的に開口配置されるもので、このネジ部分に流路内を流れる流体が溜まることがある。
そして、このように弁本体内に流体の溜り部が存在することによると、この溜り部の流体において雑菌が発生し、この雑菌が流路内を流れる流体を汚染するもので、この流体の汚染は特に医療機器および純水装置においては大きな問題となるものであった。
【０００７】
本発明は上記課題に鑑み成されたもので、第１弁本体と第２弁本体とが螺着されて弁本体が形成される逆止弁において、流路内に臨むネジ部への流体の進入を阻止することによってネジ部への流体の溜まりを抑止し、流路内を流れる流体の汚染を防止して医療機器、純水装置への採用が最適な逆止弁を提供することにある。
【課題を解決するための手段】
【０００８】
本発明になる逆止弁は前記課題を解決する為に、第１弁本体と第２弁本体とが螺着されて弁本体が形成され、
弁本体の流路内に形成される弁座孔に向けて弁体がスプリングによって押圧配置される逆止弁において、
第１弁本体の外周には、一端から他端に向けて第１接続筒部と第１取付け鍔部と挿入筒部とが連設されるとともに挿入筒部の基部に形成されるオネジ部から第１縮小段部を介して小径筒部が他端に向けて形成され、
一方、第１弁本体の内方には一端から他端に向けて弁座孔を備える第１流路と弁体収納孔とが連設され、
又、第２弁本体の外周には他端から一端に向けて第２接続筒部と第２取付け鍔部とが連設されるとともに第２弁本体の内方には、一端から他端に向けて、第１弁本体のオネジ部に螺着されるメネジ部と下孔とが連設されるとともに下孔から第２縮小段部を介して第２流路が連設され、
前記第１弁本体のオネジ部を第２弁本体のメネジ部に螺着するとともに前記第１弁本体の第１縮小段部、小径筒部及び第２弁本体の第２縮小段部、下孔、によって形成される環状間隙内に弾性材料よりなる環状パッキンを縮設し、
更に弁体収納孔内に配置される有底カップ状の弁体の上底部に、弁座孔に当接する環状の弁座を平板状のシートホルダーを介してスポット溶接したことを特徴とする。
【発明の効果】
【０００９】
かかる逆止弁によると、第１弁本体の挿入筒部に形成したオネジ部が第２弁本体のメネジ部に螺着されて弁本体が形成される。
このとき、前記オネジ部、メネジ部の流路側（弁体収納孔）に第１弁本体の第１縮小段部、小径筒部と第２弁本体の第２縮小段部、下孔とによって環状間隙が形成され、この間隙に弾性材料よりなる環状パッキンが縮設配置される。
従って弁本体内の流路からオネジ部及びメネジ部に向かう流体はこの環状パッキンによって阻止されるので該ネジ部に流路内を流れる流体が溜まり、この流体に雑菌が発生することがない。
又、弁座孔を開閉する弁体に設けた弁座は弁体の上底部にシートホルダーを介してスポット溶接されるのでネジを用いることなく弁座が弁体に取着され、弁座の部分に流体が溜まることがない。
以上の如く、本発明になる逆止弁によると，第１弁本体と第２弁本体とがネジによって螺着されるもののネジ部分より流路側に配置した環状パッキンによって前記ネジ部に流路内の流体が進入することがなく、且つ弁座と弁体との取着にネジを用いないことから流路内を流れる流体が弁体のネジ部に溜まることがなく、もって雑菌の発生がなく医療機器、純水装置等に用いるのに最適な逆止弁を提供できる。
【発明を実施するための最良の形態】
【００１０】
以下、本発明になる逆止弁の一実施例について図１により説明する。
弁本体Ｈは第１弁本体１と第２弁本体２とが螺着結合されて形成される。
第１弁本体１の外周には、一端１ａから他端１ｂに向けて、第１接続筒部１ｃ、第１取付け鍔部１ｄ、挿入筒部１ｅが形成される。
挿入筒部１ｅには、第１取付け鍔部１ｄ側の基部から他端１ｂ側に向けてオネジ部１ｆが形成され、更にオネジ部１ｆから第１縮小段部１ｇを介して小径筒部１ｈが他端１ｂに向けて形成される。
又、第１弁本体１の内方には、一端１ａから他端１ｂに向けて、第１流路１ｋと弁体収納孔１ｍとが連設され、第１流路１ｋの弁体収納孔１ｍへの開口端に弁座孔１ｎが形成される。
すなわち、前記第１流路１ｋは第１弁本体１の一端１ｃに開口し、弁体収納孔１ｍは小径筒部１ｈの端部（第１弁本体１の他端１ｂ）に開口する。
【００１１】
第２弁本体２の外周には、他端２ｂから一端２ａに向けて、第２接続筒部２ｃと第２取付け鍔部２ｄとが連設される。
そして、第２弁本体２の内方には、一端２ａから他端２ｂに向けて、第１弁本体１のオネジ部１ｆに螺着されるメネジ部２ｅと下孔２ｆが連設され、更に下孔２ｆの他端から第２縮小段部２ｇを介して第２流路２ｈが連設され、この第２流路２ｈが第２弁本体２の他端２ｂに開口する。
【００１２】
以上によって形成された第１弁本体１と第２弁本体２とは以下の如く螺着されて弁本体Ｈが形成される。
第２弁本体２のメネジ部２ｅ、下孔２ｆに向けて第１弁本体１の挿入筒部１ｅのオネジ部１ｆ、小径筒部１ｈが螺着される。
すなわち、オネジ部１ｆがメネジ部２ｅに螺着され、小径筒部１ｈが下孔２ｆ内に挿入され、これによると、第１取付け鍔部１ｄの他端１ｄａが第２取付け鍔部２ｄの一端２ａに当接配置されるとともに小径筒部１ｈの他端１ｂは第２縮小段部２ｇに近接配置される。
そして、前記によって第１弁本体１と第２弁本体２とが螺着結合された状態で、第１弁本体１の第１縮小段部１ｇと小径筒部１ｈの外周及び第２弁本体２の第２縮小段部２ｇと下孔２ｆとによって環状間隙Ｓが形成されるもので、この環状間隙Ｓ内に例えばテフロン(登録商標)等の弾性材料によって形成された環状パッキン３が縮設配置される。
【００１３】
一方、弁本体Ｈの内方には第１弁本体１の一端１ａから第２弁本体２の他端２ｂに向けて、第１流路１ｋ、弁体収納孔１ｍ、第２流路２ｈが連設されるもので、第１流路１ｋの端部に形成される弁座孔１ｎは弁体収納孔１ｍに臨んで開口する。
【００１４】
そして、弁体収納孔１ｍ内には、有底カップ状をなす弁体４が移動自在に配置されるもので、弁体４の上底部４ａには弁座孔１ｎに臨む環状の弁座５が固定配置される。
このとき、弁座５は弁体４の上底部４ａ上に配置され、この弁体４は平板状をなすシートホルダー６を介して上底部４ａに例えばプロジェクション溶接のごときスポット溶接される。
尚、７は弁体４を弁座孔１ｎ側に向けて押圧するスプリングであり、４ｂは弁座５より外方の上底部４ａに貫通して穿設した通路孔である。
【００１５】
以上よりなる逆止弁によると、第１弁本体１と第２弁本体２とはオネジ部１ｆ、メネジ部２ｅをもって螺着結合されるので、内部に形成される流路１ｋ，１ｎ，１ｍ，２ｈ及び弁体４のメンテナンス作業を容易に実施できる。
そして、オネジ部１ｆとメネジ部２ｅとの螺着部分より流路側、具体的には弁体収納孔１ｍ側に環状間隙Ｓが形成され、この環状間隙Ｓ内に環状パッキン３が縮設配置されたので、弁体収納孔１ｍ内を流れる流体はこの環状パッキン３によって阻止され、流体がオネジ部１ｆ、メネジ部２ｅの螺着部分に進入して滞溜することがない。
一方、流路内に配置される弁体４の弁座５について着目すると、弁座５は平板状のシートホルダー６を介して弁体４の上底部４ａにスポット溶接されるので、流路内を流れる流体が弁座５の弁体４に対する取着部分に進入して滞溜することがない。
【００１６】
以上の如く、本発明になる逆止弁によると、第１弁本体と第２弁本体とが螺着されて弁本体が形成され、且つ第１弁本体と第２弁本体との螺着部及び弁座の弁体に対する取着部分に流路内を流れる流体が進入して滞溜することがないので、流路内を流れる流体が雑菌によって汚染されることがなく、医療機器、純水装置、等に好適な逆止弁を提供できる。
又、第１弁本体と第２弁本体とが螺着結合されることは従来通りのメンテナンス作業性を維持できる。
【図面の簡単な説明】
【００１７】
【図１】本発明になる逆止弁の一実施例を示す縦断面図。
【図２】従来の逆止弁を示す縦断面図。
【符号の説明】
【００１８】
１        第１弁本体
１ａ      一端
１ｂ      他端
１ｃ      第１接続筒部
１ｄ      第１取付け鍔部
１ｅ      挿入筒部
１ｆ      オネジ部
１ｇ      第１縮小段部
１ｋ      第１流路
１ｍ      弁体収納孔
１ｎ      弁座孔
２        第２弁本体
２ａ      一端
２ｂ      他端
２ｃ      第２接続筒部
２ｅ      メネジ部
２ｆ      下孔
２ｇ      第２縮小段部
２ｈ      第２流路
３        環状パッキン
４ａ      上底部
５        弁座
６        シートホルダー
Ｓ        環状間隙
【図１】
2006009880.tif 000003
【図２】
2006009880.tif 000004